(57)【要約】      （修正有）【課題】釣り用のジャケットに、自由に取付け、取外し可能に設けられる釣竿用のロッドホルダーを提供する。【解決手段】被服Ｂの前身頃の裏面に添接する板材に設けた複数個の孔と、前身頃の表面に添接される取付けボルトを有する有底のホルダーキャップと、ホルダーキャップの取付けボルトを、基端部に設けた樹脂性ワッシャを介して、被服の孔と、板材の孔を貫設し、裏面に至らしめ、取付けボルトの先端部に、ナットを緊締し、ホルダーキャップを、前身頃の適所に、かつ自由に取付け等可能として釣竿用のロッドホルダー１を構成する。【選択図】図１−３
0003153381.tif 000002
【実用新案登録請求の範囲】
【請求項１】
被服の前身頃の裏面に添接する板材と、この板材に設けた複数個の孔と、前身頃の表面に添接される取付けボルトを有する有底のホルダーキャップと、このホルダーキャップの取付けボルトを、基端部に設けた樹脂性ワッシャを介して、前記被服の孔と、前記板材の孔を貫設し、前記裏面に至らしめ、この取付けボルトの先端部に、ナットを緊締することで、このホルダーキャップを、前記前身頃の適所に、かつ自由に取付け、又は取外し可能とした釣竿用のロッドホルダー。
【請求項２】
請求項１に記載の釣竿用のロッドホルダーであって、
前記ホルダーキャップの上下端部に、上下キャップを着脱する構成とした釣竿用のロッドホルダー。
【請求項３】
請求項１に記載の釣竿用のロッドホルダーであって、
前記有底が、ホルダーキャップの下端部及び／又は下キャップに差渡し設けた杆体とする構成とした釣竿用のロッドホルダー。
【請求項４】
請求項１に記載の釣竿用のロッドホルダーであって、
前記取付けボルトの基端部に樹脂性ワッシャを設け、この取付けボルトの離脱防止を図る構成とした釣竿用のロッドホルダー。
【請求項５】
請求項３に記載の釣竿用のロッドホルダーであって、
前記ロッドホルダーに差渡し設けた杆体は、ホルダーキャップの下端部及び／又は下キャップに貫設した杆部材と、この杆部材に挿入される、前記ホルダーキャップの下端部の外周面に圧接される鍔片を備えた止め具とでなる構成とした釣竿用のロッドホルダー。
【考案の詳細な説明】
【技術分野】
【０００１】
本考案は、被服、所謂、釣り用のジャケットに、自由に取付け、取外し可能に設けられる釣竿用のロッドホルダーに関する。
【背景技術】
【０００２】
魚釣りで、両手を使用する場合が多々発生する。例えば、特開２００１−３７３９１の「釣り用ジャケットおよび竿支持体」の発明（文献（１）とする）において、［０００１］〜［０００６］の「従来の技術」において、その理由が詳細に説明されており、この考え方に異論はないと考えている。しかし、現実には、この考え方に沿った釣り用ジャケット（ジャケットとする）は、市販されていないのが現況である。このような状況に鑑み、かつ市場が要求する「釣竿用のロッドホルダー」を、最も有効な解決策と考えられる先行文献を、基に検討する。その一例を文献として示す。
【０００３】
文献（１）は、前述した、特開２００１−３７３９１の「釣り用ジャケットおよび竿支持体」の発明である。その構成は、筒状のグリップ挿入部を、ジャケットの胸部近傍に固着する構造であり、このグリップ挿入部は、台座部をジャケットに逢着する構造である。従って、この文献（１）は、釣竿の保持は可能であり、この発明が解決しようとする課題をクリアーしている。しかし、この発明は、筒状のグリップ挿入部に底部を備えていないことから、［００２７］に記載の如く、「釣り竿（Ｓ）に取り付けられたスピニングリール（Ｒ）の脚部（Ｒｇ）と、筒部（１６ａ）の上縁部（１６ｃ）とが接触するまで、釣り竿（Ｓ）はグリップ挿入部（１６）内に挿入され、」との記載がある通り、このスピニングリール（Ｒ）等の引掛け部材がない釣竿には使用できない問題が考えられる。また、この文献（１）は、台座部を逢着する構造であり、簡易に着脱できないこと、また、個人のジャケットに、後付け方法で、逢着するには、手間と経験を要することが考えられる。
【０００４】
次に文献（２）は、実開昭４８−７２１５号の「被服における釣竿の支持操作装置」の考案である。その構成は、被服の前身頃に複数のフック（爪挿込み部）を設け、このフックに嵌支具の爪を挿込み、この被服に嵌支具を取付け、この嵌支具に設けた挿込み孔に、釣竿を挿込み支持する構造であり、前述の文献（１）と同様に、釣竿の保持は可能であり、この考案が解決しようとする課題をクリアーしている。しかし、この考案は、挿込み孔の下側を絞り、釣竿の抜け落ちを防止するが、絞りの径より細い釣竿はやはり抜け落ちる危険性がある。また、この挿込み孔は、下側に向かって、絞りがあることから、釣竿の形状と異なり、挿込み時において不安定となり、かつ傾く虞があり、使用の際に、問題が生ずることが考えられる。殊に、通常は、釣竿は、グリップ部から、中間部、並びに穂先に向かって順次細くなることから、この考案の挿込み孔の形状とは、逆となり、前述の問題を助長することが考えられこと、又は取扱いを誤ると、釣竿の落下と、この落下に伴う紛失、破損、人的事故等の発生が考えられ、工夫が要求されると考えられる。
【０００５】
【特許文献１】特開２００１−３７３９１
【特許文献２】実開昭４８−７２１５号
【考案の概要】
【考案が解決しようとする課題】
【０００６】
前述した如く、文献（１）と、文献（２）は、釣竿を被服に保持でき、両手の自由が利く特徴を有する。しかし、文献（１）では、底部を有さない問題の解消が要求する。また、文献（２）では、挿込み孔の形状が、絞られていることによる問題の解消が要求する。
【０００７】
上記に鑑み、本考案は、被服の前身頃に、後付で、有底構造のホルダーキャップを、取付けできる構造を採用し、自由に、有底構造のホルダーキャップを取付し、釣竿を保持できる構造を提案する。これにより、例えば、釣り及び／又は釣竿・道具等の操作の容易化と、楽しみを満喫すること、人手の自由度と、安全性を確保すること、又は釣竿・道具・人体等に対するトラブルの解消に努めること、等を意図する。また、本考案は、被服の前身頃の裏面に硬質性の板材を添接する構造を採用し、被服が型崩れしても、釣竿を、安定してホルダーキャップで保持できる構造を提案することを意図する。さらに、本考案は、有底構造のホルダーキャップであっても、このホルダーキャップ内に、釣竿を付着する水を溜めることなく、排出できる構造を採用し、釣具用のホルダーキャップとして、最適な構造を提案することを意図する。
【課題を解決するための手段】
【０００８】
請求項１の考案は、前述した、被服の前身頃に、後付で、自由に、有底構造のホルダーキャップを取付けし、釣竿を保持できる構造を提案し、例えば、釣り及び／又は釣竿・道具等の操作の容易化と、楽しみを満喫すること、人手の自由度と、安全性を確保すること、又は釣竿・道具・人体等に対するトラブルの解消に努めること、等を意図する。また、請求項１の考案は、前述した、被服の前身頃の裏面に硬質性の板材を添接し、被服が、皺になり、又は型崩れ等しても、釣竿を、安定してホルダーキャップを保持する構造を提案することを意図する。
【０００９】
請求項１は、被服の前身頃の裏面に添接する板材と、この板材に設けた複数個の孔と、前身頃の表面に添接される取付けボルトを有する有底のホルダーキャップと、このホルダーキャップの取付けボルトを、基端部に設けた樹脂性ワッシャを介して、前記被服の孔と、前記板材の孔を貫設し、前記裏面に至らしめ、この取付けボルトの先端部に、ナットを緊締することで、このホルダーキャップを、前記前身頃の適所に、かつ自由に取付け、又は取外し可能とした釣竿用のロッドホルダーである。
【００１０】
請求項２の考案は、請求項１の目的の達成と、この目的を達成するに最適な、ホルダーキャップの構造を提案することを意図する。
【００１１】
請求項２は、請求項１に記載の釣竿用のロッドホルダーであって、
前記ホルダーキャップの上下端部に、上下キャップを着脱する構成とした釣竿用のロッドホルダーである。
【００１２】
請求項３の考案は、請求項１の目的の達成と、この目的を達成するに最適な、有底構造のホルダーキャップの構造を提案すること、又はホルダーキャップ内に、釣竿を付着する水を溜めることなく、排出できる構造を採用し、釣具用のホルダーキャップとして、最適な構造を提案すること、等を意図する。
【００１３】
請求項３の考案は、請求項１に記載の釣竿用のロッドホルダーであって、
前記有底が、ホルダーキャップの下端部及び／又は下キャップに差渡し設けた杆体とする構成とした釣竿用のロッドホルダーである。
【００１４】
請求項４の考案は、請求項１の目的の達成と、この目的を達成するに最適な、ボルトをホルダーキャップに取付ける構造を提案することを意図する。
【００１５】
請求項４は、請求項１に記載の釣竿用のロッドホルダーであって、
前記取付けボルトの基端部に樹脂性ワッシャを設け、この取付けボルトの離脱防止を図る構成とした釣竿用のロッドホルダーである。
【００１６】
請求項５の考案は、請求項３の目的の達成できる有底構造のホルダーキャップを提案することを意図する。
【００１７】
請求項５は、請求項３に記載の釣竿用のロッドホルダーであって、
前記ロッドホルダーに差渡し設けた杆体は、ホルダーキャップの下端部及び／又は下キャップに貫設した杆部材と、この杆部材に挿入される、前記ホルダーキャップの下端部の外周面に圧接される鍔片を備えた止め具とでなる構成とした釣竿用のロッドホルダーである。
【考案の効果】
【００１８】
請求項１の考案は、被服の前身頃の裏面に添接する板材と、板材に設けた複数個の孔と、前身頃の表面に添接される取付けボルトを有する有底のホルダーキャップと、ホルダーキャップの取付けボルトを、基端部に設けた樹脂性ワッシャを介して、被服の孔と、板材の孔を貫設し、裏面に至らしめ、取付けボルトの先端部に、ナットを緊締することで、ホルダーキャップを、前身頃の適所に、かつ自由に取付け、又は取外し可能とした釣竿用のロッドホルダーである。
【００１９】
従って、請求項１は、前述した、被服の前身頃に、後付で、自由に、有底構造のホルダーキャップを取付けし、釣竿を保持できる構造を提案し、例えば、釣り及び／又は釣竿・道具等の操作の容易化と、楽しみを満喫できること、人手の自由度と、安全性を確保できること、又は釣竿・道具・人体等に対するトラブルの解消に努め得ること、等の特徴がある。また、請求項１は、前述した、被服の前身頃の裏面に硬質性の板材を添接し、被服が、皺になり、又は型崩れ等しても、釣竿を、安定してホルダーキャップを保持する構造を提案できる実益がある。
【００２０】
請求項２の考案は、請求項１に記載の釣竿用のロッドホルダーであって、
ホルダーキャップの上下端部に、上下キャップを着脱する構成とした釣竿用のロッドホルダーである。
【００２１】
従って、請求項２は、請求項１の目的の達成と、この目的を達成するに最適な、ホルダーキャップの構造を提案できる特徴がある。
【００２２】
請求項３の考案は、請求項１に記載の釣竿用のロッドホルダーであって、
有底が、ホルダーキャップの下端部及び／又は下キャップに差渡し設けた杆体とする構成とした釣竿用のロッドホルダーである。
【００２３】
従って、請求項３は、請求項１の目的の達成と、この目的を達成するに最適な、有底構造のホルダーキャップの構造を提案すること、又はホルダーキャップ内に、釣竿を付着する水を溜めることなく、排出できる構造を採用し、釣具用のホルダーキャップとして、最適な構造を提案できること、等の特徴がある。
【００２４】
請求項４の考案は、請求項１に記載の釣竿用のロッドホルダーであって、
取付けボルトの基端部に樹脂性ワッシャを設け、取付けボルトの離脱防止を図る構成とした釣竿用のロッドホルダーである。
【００２５】
従って、請求項４は、請求項１の目的の達成と、この目的を達成するに最適な、ボルトをホルダーキャップに取付ける構造を提案できること、等の特徴がある。
【００２６】
請求項５は、請求項３に記載の釣竿用のロッドホルダーであって、
ロッドホルダーに差渡し設けた杆体は、ホルダーキャップの下端部及び／又は下キャップに貫設した杆部材と、杆部材に挿入される、ホルダーキャップの下端部の外周面に圧接される鍔片を備えた止め具とでなる構成とした釣竿用のロッドホルダーである。
【００２７】
従って、請求項５は、請求項３の目的の達成できる有底構造のホルダーキャップを提案できること、等の特徴がある。
【図面の簡単な説明】
【００２８】
【図１−１】被服（釣用ジャケット）の一例を示した縮尺正面図
【図１−２】被服に板材を添接した一例を示した前身頃の表面を欠截した縮尺正面図
【図１−３】被服にホルダーキャップを取付けた状態で、このホルダーキャップに釣竿を挿入した一例を示した縮尺正面図
【図２】釣竿用のロッドホルダーの要部を分解して示した図であり、板材と、被服と、取付けボルト、及び樹脂性ワッシャと、ナット、並びにホルダーキャップ等を示した俯瞰図
【図３】被服にホルダーキャップを取付けた状態で、要部（ロッドホルダーに差渡し設けた杆体）を含めて、全体を横断した断面図
【図４】ロッドホルダーの要部を分解して示した図であり、板材と、被服と、取付けボルト、及び樹脂性ワッシャと、ナット、並びにホルダーキャップ等を横断した断面図
【図５−１】ロッドホルダーの要部である、ホルダーキャップと、上下キャップを示した斜視図
【図５−２】図５−１に示した下キャップの断面図
【考案を実施するための形態】
【００２９】
図において、１はロッドホルダーで、このロッドホルダー１の要部は、有底の筒体でなるホルダーキャップ２と、この有底のホルダーキャップ２に設けられる上下キャップ３、４と、このホルダーキャップ２の長手方向において、直線状、かつ等間隔で設けられた複数個の孔２００に挿設された、前記長手方向に直交する方向に、突設支持された複数個の取付けボルト６（支持杆体）と、この取付けボルト６（止め具の一種である）の開放側の基端部６ａ（ホルダーキャップ２の孔２００より突出した箇所）にそれぞれ支持された複数枚の切欠き部７００を有する樹脂性ワッシャ７と、また、この取付けボルト６に貫設支持される板材１０と、さらに、この取付けボルト６の螺軸部６ｂに螺着されるパッキン１１及び／又はナット１２、並びに、前記ホルダーキャップ２の有底を構成する、このホルダーキャップ２と、前記下キャップ４に貫設支持した杆体１５とで構成される。尚、樹脂性ワッシャ７の切欠き部７００は、取付けボルト６の螺軸部６ｂに撓み、かつ挾持されることで、この取付けボルト６を、ホルダーキャップ２の孔２００に取付けても、落下が少なくなることで、例えば、取付けボルト６の螺軸部６ｂを、被服Ｂの孔及び／又は後述する板材の孔に簡易に、差込み可能となり重宝する。
【００３０】
そして、前記上下キャップ３、４は、ホルダーキャップ２の上下部２ａ、２ｂに嵌着されて、この上下部２ａ、２ｂを保護し、かつ肉厚部位を生成するとともに、このロッドホルダー１に釣竿Ａを挿入される際のガイドとすること、また、取付けボルト６の皿頭部６００を隠蔽し、怪我とか、釣竿Ａの保護等を図る。また、取付けボルト６の皿頭部６００は、ホルダーキャップ２の皿状の孔２００に嵌着されるとともに、この皿頭部６００の面部は、ホルダーキャップ２の内壁面に、略面一に嵌着される。この嵌着された皿頭部６００の上に、上下キャップ３、４が設けられることで、この皿頭部６００による全ての問題点を解消できる。
【００３１】
また、板材１０には、前記取付けボルト６が貫設される複数個の孔１０００が貫設されているとともに、被服Ｂへの取付けを図るテープ１００１が設けられている。
【００３２】
図中１１はワッシャ、１２はナットを示す。
【００３３】
また図中１５は杆体で、この杆体１５は、杆部材１５００し、この杆部材１５００の開放端１５００ａ、１５００ｂに差込まれ、かつホルダーキャップ２の下端部の外周面２ｃに圧接される鍔片１５０１ａ、１５０２ａを備えた止め具１５０１、１５０２で構成されており、この杆体１５を、ホルダーキャップ２に下部に設けた孔２０１と、場合により、下キャップ４に設けた孔（図示しない）、又は切欠き４００との間に設け、この杆体部１５００の開放端１５００ａ、１５００ｂに、止め具１５０１、１５０２を差込み支持することで、ホルダーキャップ２の底部（有底）となるが、隙間Ｓが形成されることから、例えば、水の落下、空気の流通は可能である。そして、この有底を利用し、挿入した釣竿Ａを保持できること、又は全ての釣竿Ａを保持できること、等の実益がある。
【００３４】
本考案のロックホルダー１を、被服Ｂに取付ける一例を説明すると、前身頃Ｂ１の裏面に、テープ１００１を貼着し、被服Ｂの孔と、板材１０の孔１０００を整合（整合孔とする）する。一方、上下キャップ２ａ、２ｂと杆体１５を取付けたホルダーキャップ２の孔２００に、取付けボルト６の螺軸部６ｂを貫設し（複数の例では、一動作とする）、この螺軸部６ｂと、取付けボルト６の外周面との間に、樹脂性ワッシャ７を取付ける。この樹脂性ワッシャ７により、取付けボルト６の落下が極めて少なくなり、例えば、取付け、取外し、又は保管等の作業が容易となること、又はこの落下に伴う紛失、破損、人的事故等の回避が図れる実益がある。続いて、前身頃Ｂ１の表面から、前記整合孔に向って、ホルダーキャップ２の取付けボルト６を差込み、前身頃Ｂ１の裏面に貫設する。この貫設した、取付けボルト６の螺軸部６ｂにワッシャ１１と、ナット１２を取付け、このナット１２を螺合することで、被服Ｂの所定箇所に、後付けで、ロッドホルダー１が装着される。このように、本考案では、自分の被服Ｂに、自由に取付けでき、かつ、また後述するように取外しができる。
【００３５】
そして、このロッドホルダー１の取外しは、先ず、ナット１２を螺戻し、取付けボルト６の螺軸部６ｂより、ナット１２とワッシャ１１を外す。その後、ホルダーキャップ２の螺軸部６ｂを、整合孔より脱抜する。その後、必要により、樹脂性ワッシャ７を、ホルダーキャップ２に差込んだ取付けボルト６の螺軸部６ｂより外し、次いで、取付けボルト６を、ホルダーキャップ２の孔２００より取外す。また、このホルダーキャップ２より、上下キャップ２ａ、２ｂと杆体１５を取外すことで、終了する。勿論、ホルダーキャップ２の孔２００に、取付けボルト６を取付けた状態での保管も可能である。尚、板材１０の取外しも自由である。
【００３６】
そして、本考案では、板材１０を被服Ｂに設けることで、この被服Ｂが撓んだ状態でも、ロッドホルダー１は撓むことなく、釣竿Ａを安定して保持できること、また、このロッドホルダー１が離脱しないこと、等の特徴がある。また、ホルダーキャップ２が剛性（硬い）の場合は、板材１０の硬さは限定されず、例えば、この板材１０は、硬軟があり得ると考えられる。さらに、本考案の如く、ホルダーキャップ２と、板材１０がともに剛性とすることで、前記特徴が十分発揮できる。この剛性のもたらす効果は、一例であり、限定されない。また、この剛性は、釣竿Ａとのマッチングも最適である。
【符号の説明】
【００３７】
１            ロッドホルダー
２            ホルダーキャップ
２ａ          上部
２ｂ          下部
２ｃ          外周面
２００        孔
３            上キャップ
４            下キャップ
６            取付けボルト
６００        皿頭部
６ａ          基端部
６ｂ          螺軸部
７            樹脂性ワッシャ
１０          板材
１０００      孔
１００１      テープ
１１          ワッシャ
１２          ナット
１５          杆体
１５００      杆部材
１５００ａ    開放端
１５００ｂ    開放端
１５０１      止め具
１５０１ａ    鍔片
１５０２      止め具
１５０２ａ    鍔片
Ａ            釣竿
Ｂ            被服
Ｂ１          前身頃
【図１−１】
0003153381.tif 000003
【図１−２】
0003153381.tif 000004
【図１−３】
0003153381.tif 000005
【図２】
0003153381.tif 000006
【図３】
0003153381.tif 000007
【図４】
0003153381.tif 000008
【図５−１】
0003153381.tif 000009
【図５−２】
0003153381.tif 000010